(57)【要約】【課題】  複数の商品室に仕切る仕切り板と、該仕切り板を貫通する配線束とを有しながら、該商品室間の空気の移動を抑制する自動販売機を提供する。【解決手段】  仕切り板３の前端面３０に開口する切欠部３３が形成され、配線束２２を気密的に包囲するスポンジ状部材４０が切欠部３３に充填され、前端面３０に設置された押え板５０によって押さえられている。パッキン３４が前端面３０の全長にわたって配置され、押え板５０が設置される範囲を除いて両面接着テープ３５によって接着固定され、補助パッキン５４が押え板５０の前面に両面接着テープ５５によって接着固定されている。よって、内扉が閉じた際、パッキン３４および補助パッキン５４は内扉と仕切り板３との間に挟圧され、空気の移動が抑制される。また、補助パッキン５４を複数列にしたり、より厚くしたりして、空気の移動をさらに抑制する。【選択図】    図２
2007047899.tif 000002
【特許請求の範囲】
【請求項１】
前面を開閉する内扉が設置された商品収納庫と、
該商品収納庫を複数の商品室に仕切る仕切り板と、
該仕切り板を貫通して配置された配線束と、
前記商品室に収納された商品に冷風または温風を供給する商品温度調整手段と、を有する自動販売機であって、
前記仕切り板が、前端面に開口する切欠部と、該切欠部の開口部を覆う押え板と、前記切欠部に充填された切欠部シール部材と、前端面の前記押え板を除く範囲に接着固定されて前記内扉に当接自在な仕切り板シール部材と、を有し、
前記配線束が前記切欠部シール部材を貫通すると共に、前記押え板に前記内扉に当接自在な押え板シール部材が設置されることを特徴とする自動販売機。
【請求項２】
前記内扉が開いた状態で、前記押え板シール部材の前縁部が前記仕切り板シール部材の前縁部よりも前面側に突出することを特徴とする請求項１記載の自動販売機。
【請求項３】
前記内扉が閉じた状態で、前記押え板シール部材の側部と前記仕切り板シール部材の側部とが近接または当接することを特徴とする請求項１または２記載の自動販売機。
【請求項４】
前面を開閉する内扉が設置された商品収納庫と、
該商品収納庫を複数の商品室に仕切る仕切り板と、
該仕切り板を貫通して配置された配線束と、
前記商品室に収納された商品に冷風または温風を供給する商品温度調整手段と、を有する自動販売機であって、
前記仕切り板が、前端面の全長にわたって接着固定されて前記内扉に当接自在な仕切り板シール部材と、前記配線束に設置された配線束側コネクタに接続自在な仕切り板側コネクタとを有することを特徴とする自動販売機。
【請求項５】
前面を開閉する内扉が設置された商品収納庫と、
該商品収納庫を複数の商品室に仕切る仕切り板と、
該仕切り板を貫通して配置された配線束と、
前記商品室に収納された商品に冷風または温風を供給する商品温度調整手段と、を有する自動販売機であって、
前記仕切り板が、前端面の全長にわたって接着固定されて前記内扉に当接自在な仕切り板シール部材と、気密的に貫通する引き出し用配線束と、を有し、
該引き出し用配線束に前記配線束に設置された配線束側コネクタに接続自在な仕切り板側コネクタが設置されることを特徴とする自動販売機。
【請求項６】
前面を開閉する内扉が設置された商品収納庫と、
該商品収納庫を複数の商品室に仕切る仕切り板と、
該仕切り板を貫通して配置された配線束と、
前記商品室に収納された商品に冷風または温風を供給する商品温度調整手段と、を有する自動販売機であって、
前記仕切り板が、前端面に開口する切欠部と、該切欠部に気密的に設置された配線ブロックと、前端面の前記配線ブロックを除く範囲および前記配線ブロックの前端面に接着固定されて前記内扉に当接自在な仕切り板シール部材と、を有し、
該配線ブロックに前記配線束に設置された配線束側コネクタに接続自在な配線ブロック側コネクタが設置されることを特徴とする自動販売機。
【請求項７】
前面を開閉する内扉が設置された商品収納庫と、
該商品収納庫を複数の商品室に仕切る仕切り板と、
該仕切り板を貫通して配置された配線束と、
前記商品室に収納された商品に冷風または温風を供給する商品温度調整手段と、を有する自動販売機であって、
前記仕切り板が、前端面に開口する切欠部と、該切欠部に気密的に設置された配線ブロックと、前端面の前記配線ブロックを除く範囲および前記配線ブロックの前端面に接着固定されて前記内扉に当接自在な仕切り板シール部材と、を有し、
該配線ブロックに気密的に貫通する引き出し用配線束が設置され、該引き出し用配線束に前記配線束に設置された配線束側コネクタに接続自在な配線ブロック側コネクタが設置されることを特徴とする自動販売機。
【発明の詳細な説明】
【技術分野】
【０００１】
この発明は、自動販売機、特に、容器入り飲料商品を加熱、あるいは冷却して販売する自動販売機に関する。
【背景技術】
【０００２】
図８〜図１０は、それぞれ従来の自動販売機の構成を説明する模式図であって、図８は全体の正面視の断面図、図９は全体の側面視の断面図、図１０は仕切り板の斜視図および部分断面図である。
図８および図９において、自動販売機（以下「自販機」と称す）９００は、商品収納庫２と、機械室２０と、電装品収納室２１を有する本体筐体１によって形成されている。
【０００３】
商品収納庫２は、商品を補充する時に開閉する商品補充扉４と、商品収納庫２と外気を遮断するための内扉５と、収納する商品Ｓのサンプル等を陳列する前扉６と、を有している。また、商品収納庫２は、仕切り板３によって複数の商品室７Ａ、７Ｂ、７Ｃ（以下、まとめて「商品室７」と総称する場合がある）に仕切られている。
なお、仕切り板３は、本体筐体１の前面から背面に向かう方向で底板２３に設置されたレール（図示しない）上に取り付けられ、天井２４にネジ止めして固定されている。そして仕切り板３の背面側の端面（以下「後端面」と称す）は本体筐体１の内側壁に当接し、前面側の端面（以下「前端面」と称す）３０は、商品補充扉４および内扉５が閉じられた際、その内面に当接する。
【０００４】
商品室７には、商品Ｓを収納するための商品収納ラック８と、商品収納ラック８から落下した商品Ｓを取り出すための商品取り出し口９（内扉５に設けられた開口部に同じ）と、商品収納ラック８から落下した商品Ｓを商品取り出し口９まで誘導する商品誘導板１０と、が設けられている。
また、商品室７の商品誘導板１０の下方で底板２３の上方が庫内部品収納室１１であって、庫内部品収納室１１には、冷却ユニットの蒸発器１２と、商品Ｓを加熱するためのヒータ１３と、蒸発器１２やヒータ１３の熱を商品に伝達するための庫内ファン１４と、庫内ファン１４を固定するためのシュラウド１５と、庫内風洞１６と、庫内温度をセンシングする庫内温度センサー１７と、が配置されている。
そして、商品室７の背面には、商品室７の上方の庫内空気を吸い込んで、庫内部品収納室１１（蒸発器１２等）に吹き出すための背面ダクト１８が設置されている。
【０００５】
さらに、商品収納庫２の下方には、冷却ユニットのコンデンシングユニット１９を収容するための機械室２０、および電装品（図示しない）を収納するための電装品収納室２１が配置されている。そして、電装品収納室２１に収納された電装品（図示しない）と庫内部品収納室１１に配置されたヒータ１３等の各庫内部品とは配線束２２によって連結され、電力や制御信号等が伝送されている。
【０００６】
図１０において、仕切り板３は、表面をクラフトグレー印刷した板状の断熱材３１と、板状の断熱材３１に両面接着テープで固定された破損防止用板金３２と、前端面３０に設けられたパッキン３４と、前端面３０に開口する切欠部３３と、を有している。そして、切欠部３３を配線束２２が貫通している。このとき、配線束２２は部分的にスポンジ状部材４０によって把持され、スポンジ状部材４０は押え板５０によって切欠部３３に押し込まれて切欠部３３に充満している。なお、押え板５０はネジ（図示しない）によって仕切り板３に固定され、切欠部３３の開口部を塞いでいる。
【０００７】
したがって、商品室７Ａ、７Ｂ、７Ｃ毎に定めたコールドまたはホット販売モードに合わせて冷却・加熱を行う。たとえば、商品室７Ａおよび７Ｂをコールド販売モードに、商品室７Ｃをホット販売モードにする場合（いわゆる「ＣＣＨ販売モード」に同じ）、商品室７Ａおよび７Ｂでは、蒸発器１２を冷却し、蒸発器１２に空気を送風して熱交換を行い、熱交換後の空気を商品Ｓに送風することで、商品収納ラック８に収納された商品Ｓの冷却を行う。一方、商品室７Ｃでは、ヒータ１３を運転して、ヒータ１３に空気を送風して熱交換を行い、熱交換後の空気を商品Ｓに送風することで、商品収納ラック８に収納された商品Ｓの加熱を行う。（例えば、特許文献１参照）。
【０００８】
【特許文献１】特開２００４−７０５８９号公報（第６頁、図１７）
【発明の開示】
【発明が解決しようとする課題】
【０００９】
前述のように、仕切り板３は断熱材３１で構成され、内扉５が接する前端面３０にはパッキン３４が両面接着テープ３５によって接着固定されているため、商品室７を断熱的に仕切るものである。
しかしながら、メインテナンス等で配線束２２を移動させる場合、押え板５０を仕切り板３から一時的に撤去する必要があるため、パッキン３４を押え板５０に接着固定することができない。すなわち、両面接着テープ３５は、押え板５０が固定される位置（切欠部３３の位置に略相当する）よりも上の範囲（位置「Ａ」と位置「Ｂ」との間に同じ）に限り、パッキン３４を仕切り板３に接着固定するものの、これを除く範囲（位置「Ｂ」と位置「Ｃ」との間に同じ）ではパッキン３４はフリーの状態になっている。
【００１０】
このため、内扉５を閉める際のパッキン３４の姿勢によっては、パッキン３４と押え板５０との間に隙間Ｇが出来てしまい、隣り合う商品室７間で空気の出入りが発生する（図１０の（ｂ）参照）。
特に、隣接する商品室７の一方がホット販売モード（加熱運転）で他方がコールド販売モード（冷却運転）の場合、加熱された空気と冷却された空気が隙間Ｇから相互に出入りして消費電力が増加するという問題があった。
また、自動販売機９００はこのような空気の出入りがないことを前提に商品Ｓの温度が設定温度範囲内になるように調整されているため、ホット販売モードの商品室７に隣接するコールド販売モードの商品室７から、冷却された空気が侵入すると、加熱側の商品Ｓが冷却されて設定範囲外になるおそれ、あるいは、コールド販売モードの商品室７に隣接するホット販売モードの商品室７から、加熱された空気が侵入すると、冷却側の商品Ｓが加熱されて設定範囲外になるおそれがあるという問題があった。
【００１１】
本発明は、前記商品室間の空気の移動を抑制することによって、消費電力の低減、並びに、商品温度の調整精度の向上を可能にする自動販売機を提供することを目的とする。
【課題を解決するための手段】
【００１２】
（１）本発明に係る自動販売機は、前面を開閉する内扉が設置された商品収納庫と、該商品収納庫を複数の商品室に仕切る仕切り板と、該仕切り板を貫通して配置された配線束と、前記商品室に収納された商品に冷風または温風を供給する商品温度調整手段と、を有するものであって、
前記仕切り板が、前端面３０に開口する切欠部と、該切欠部の開口部を覆う押え板と、前記切欠部に充填された切欠部シール部材と、前端面３０の前記押え板を除く範囲に接着固定されて前記内扉に当接自在な仕切り板シール部材と、を有し、
前記配線束が前記切欠部シール部材を貫通すると共に、前記押え板に前記内扉に当接自在な押え板シール部材が設置されることを特徴とする。
【００１３】
（２）また、前記内扉が開いた状態で、前記押え板シール部材の前縁部が前記仕切り板シール部材の前縁部よりも前面側に突出することを特徴とする。
【００１４】
（３）また、前記内扉が閉じた状態で、前記押え板シール部材の側部と前記仕切り板シール部材の側部とが近接または当接することを特徴とする。
【００１５】
（４）さらに、本発明に係る自動販売機は、前面を開閉する内扉が設置された商品収納庫と、該商品収納庫を複数の商品室に仕切る仕切り板と、該仕切り板を貫通して配置された配線束と、前記商品室に収納された商品に冷風または温風を供給する商品温度調整手段と、を有するものであって、
前記仕切り板が、前端面３０の全長にわたって接着固定されて前記内扉に当接自在な仕切り板シール部材と、前記配線束に設置された配線束側コネクタに接続自在な仕切り板側コネクタとを有することを特徴とする。
【００１６】
（５）また、前面を開閉する内扉が設置された商品収納庫と、該商品収納庫を複数の商品室に仕切る仕切り板と、該仕切り板を貫通して配置された配線束と、前記商品室に収納された商品に冷風または温風を供給する商品温度調整手段と、を有するものであって、
前記仕切り板が、前端面３０の全長にわたって接着固定されて前記内扉に当接自在な仕切り板シール部材と、気密的に貫通する引き出し用配線束と、を有し、
該引き出し用配線束に前記配線束に設置された配線束側コネクタに接続自在な仕切り板側コネクタが設置されることを特徴とする。
【００１７】
（６）さらに、本発明に係る自動販売機は、前面を開閉する内扉が設置された商品収納庫と、該商品収納庫を複数の商品室に仕切る仕切り板と、該仕切り板を貫通して配置された配線束と、前記商品室に収納された商品に冷風または温風を供給する商品温度調整手段と、を有するものであって、
前記仕切り板が、前端面３０に開口する切欠部と、該切欠部に気密的に設置された配線ブロックと、前端面３０の前記配線ブロックを除く範囲および前記配線ブロックの前端面３０に接着固定されて前記内扉に当接自在な仕切り板シール部材と、を有し、
該配線ブロックに前記配線束に設置された配線束側コネクタに接続自在な配線ブロック側コネクタが設置されることを特徴とする。
【００１８】
（７）また、前面を開閉する内扉が設置された商品収納庫と、該商品収納庫を複数の商品室に仕切る仕切り板と、該仕切り板を貫通して配置された配線束と、前記商品室に収納された商品に冷風または温風を供給する商品温度調整手段と、を有するものであって、
前記仕切り板が、前端面３０に開口する切欠部と、該切欠部に気密的に設置された配線ブロックと、前端面３０の前記配線ブロックを除く範囲および前記配線ブロックの前端面３０に接着固定されて前記内扉に当接自在な仕切り板シール部材と、を有し、
該配線ブロックに気密的に貫通する引き出し用配線束が設置され、該引き出し用配線束に前記配線束に設置された配線束側コネクタに接続自在な配線ブロック側コネクタが設置されることを特徴とする。
【発明の効果】
【００１９】
（１）本発明に係る自動販売機は、切欠部シール部材、仕切り板シール部材および押え板シール部材を具備するため、配線束と仕切り板との隙間が切欠部シール部材によってシールされ、さらに、仕切り板シール部材の一部が仕切り板から遊離して隙間が生じた場合であっても、該隙間が押え板シール部材によってシールされるから、商品室間の空気の移動が抑制される。
【００２０】
（２）また、押え板シール部材の前縁部が仕切り板シール部材の前縁部よりも前面側に突出しているため、押え板シール部材の方が仕切り板シール部材よりも優先的に内扉に押圧されるから、内扉と仕切り板との間のシール性が向上し、商品室間の空気の移動が抑制される。
【００２１】
（３）また、押え板シール部材の側部と仕切り板シール部材の側部とが近接または当接するため、互いに近接した複数列のシールまたは幅の広いシールが設置された場合と同様の効果が得られるから、内扉と仕切り板との間のシール性が向上し、商品室間の空気の移動が抑制される。
【００２２】
（４）さらに、本発明に係る自動販売機は、配線束が仕切り板を貫通しないため、配線束と仕切り板との間に隙間が生じることがなく、また、仕切り板シール部材が仕切り板の前端面３０の全長にわたって接着固定されているため、仕切り板シール部材の一部が仕切り板から遊離して隙間が生じることがないから、商品室間の空気の移動が抑制される。
【００２３】
（５）また、引き出し用配線束が仕切り板に埋め込まれ、配線束が仕切り板を貫通しないため、配線束と仕切り板との間に隙間が生じることがなく、また、仕切り板シール部材が仕切り板の前端面３０の全長にわたって接着固定されているため、仕切り板シール部材の一部が仕切り板から遊離して隙間が生じることがないから、商品室間の空気の移動が抑制される。
【００２４】
（６）さらに、本発明に係る自動販売機は、配線ブロックが仕切り板の切欠部を密閉し、配線束が仕切り板または配線ブロックを貫通しないため、配線束と仕切り板または配線ブロックとの間に隙間が生じることがなく、また、仕切り板シール部材が仕切り板および配線ブロックの前端面３０に接着固定されているため、仕切り板シール部材の一部が仕切り板または配線ブロックから遊離して隙間が生じることがないから、商品室間の空気の移動が抑制される。
【００２５】
（７）また、配線ブロックが仕切り板の切欠部を密閉し、引き出し用配線束が配線ブロックに埋め込まれ、配線束が仕切り板または配線ブロックを貫通しないため、配線束と仕切り板または配線ブロックとの間に隙間が生じることがなく、また、仕切り板シール部材が仕切り板および配線ブロックの前端面３０に接着固定されているため、仕切り板シール部材の一部が仕切り板または配線ブロックの前端面３０から遊離して隙間が生じることがないから、商品室間の空気の移動が抑制される。
【発明を実施するための最良の形態】
【００２６】
以下、本発明の実施の形態に係る自動販売機を、図面に基づいて説明する。なお、従来の自動販売機（図７〜１０参照）と同じ部分にはこれと同じ符号を付し、一部の説明を省略する。また、以下の説明は、３つの商品室を有する、傾斜した「シュータ」を商品誘導板とする自動販売機を例にしているが、本発明はこれに限定するものではなく、４室以上の商品室を有するもの、あるいは、略水平に配置されたコンベアを商品誘導板とするものであってもよい。また、以下の各図において同じ部分または相当する部分には同じ符号を付し、一部の説明を省略する。
【００２７】
［実施形態１］
図１は、本発明の実施形態１に係る自動販売機における仕切り板の構成を示す模式図であって、（ａ）は全体斜視図、（ｂ）および（ｃ）はこれを構成する部材の斜視図である。
図１の（ａ）において、自動販売機（図示しない）に設置される仕切り板３には前端面３０に開口した切欠部３３が形成され、前端面３０の全長にわたって仕切り板シール部材（以下「パッキン」と称す）３４が配置されている。パッキン３４は、仕切り板３の前端面３０の位置「Ａ」と位置「Ｂ」との間（以下「範囲Ａ−Ｂ」と称す）に両面接着テープ３５によって仕切り板３に接着固定されている。範囲Ａ−Ｂは、仕切り板３の前端面３０の全長から後記押え板５０が設置される範囲を除いた範囲に相当している。
【００２８】
図１の（ｂ）において、配線束２２は配線束シール材（以下「スポンジ状部材」と称す）４０によって把持されている。なお、スポンジ状部材４０は、気密性ないし難通気性（以下「気密性」と総称する）であって、切欠部３３の容積よりも大きな容積を具備し、収縮自在である。
【００２９】
図１の（ｃ）において、押え板５０は、断面Ｕ字状に成形された板材であって、切欠部３３の開口部を覆う大きさを有し、仕切り板３に設置する際、ネジ（図示しない）が貫通するネジ固定用穴５１が設けられている。
そして、押え板５０を仕切り板３に設置した際、前面側になる面に押え板シール部材（以下「補助パッキン」と称す）５４が両面接着テープ５５によって接着固定されている。補助パッキン５４は押え板５０よりも上下方向で長い構成になっている。なお、接着固定は両面接着テープ５５によるものに限定するものではなく、接着剤等何れによってもよい。
【００３０】
図２は、本発明の実施形態１に係る自動販売機における仕切り板の構成を模式的に示す全体斜視図である。図２において、配線束２２を把持したスポンジ状部材４０が切欠部３３に充満し、押え板５０によって押さえ付けられている。このとき、スポンジ状部材４０自体が気密性を有し、配線束２２および切欠部３３に気密的に密着しているから、配線束２２は仕切り板３を気密的に貫通していることになる。
【００３１】
図３は、図２に示す仕切り板の部分断面図である。図３の（ａ）は、内扉５を閉じた際の切欠部３３の位置における断面を示している。パッキン３４および補助パッキン５４は、その前縁が内扉５に当接し、内扉５と押え板５０との間で挟圧されている。したがって、商品室７間で空気の移動が抑制されることになる。
さらに、仮に、パッキン３４の仕切り板３に接着固定されていない範囲（範囲Ｂ−Ｃに同じ）の一部が押え板５０から遊離して隙間Ｇが生じたとしても、当該範囲においては、仕切り板３に接着固定された補助パッキン５４が内扉５に当接しているから、商品室７間で空気の移動が抑制されている。
【００３２】
図３の（ｂ）は、内扉５を閉じた際の押え板５０の少し上の位置における断面を示している。補助パッキン５４の上端（位置「Ｄ」にて示す）は、パッキン３４の仕切り板３に接着固定されている範囲（位置「Ｂ」よりも上の範囲に同じ）に到達しているから、両者が並行する範囲（Ｄ−Ｂの範囲に同じ）では、空気の流路抵抗が大きくなっている。
さらに、補助パッキン５４の前縁がパッキン３４の前縁よりも前面側に突出する（補助パッキン５４の厚さをパッキン３４の厚さよりも大きくするに相当する）ようにしておけば、内扉５に当接した際に、補助パッキン５４は、内扉と仕切り板３の前端面３０との間で挟圧され、隙間Ｆが消失することになる。また、かかる挟圧によって補助パッキン５４は変形するから、補助パッキン５４の側面とパッキン３４の側面とが近接または当接し、空気の流路抵抗は極めて大きなものになる。
【００３３】
図４および図５は、図２に示す仕切り板のバリエーションを示す模式図であって、図４の（ａ）は全体斜視図、図４の（ｂ）は押え板の斜視図、図５は部分断面図である。
図４の（ａ）および（ｂ）において、一対の補助パッキン５４ａ、５４ｂが平行して押え板５０に、両面接着テープ５５ａ、５５ｂによって接着固定されている。なお、押え板５０が平板であるものを示しているが、断面Ｕ字状や断面Ｌ字状であってもよい。
【００３４】
図５において、一対の補助パッキン５４ａ、５４ｂの厚さがパッキン３４の厚さよりも厚くなっているから、内扉５を閉めた状態で補助パッキン５４ａ、５４ｂは、内扉５と仕切り板３の前端面３０との間で強く挟圧され、潰れてパッキン３４との間の隙間がなくなっている。すなわち、パッキン３４の両側面が補助パッキン５４ａ、５４ｂの側面によって挟圧され、空気の移動がさらに抑制される構成になっている。
【００３５】
［実施形態２］
図６は、本発明の実施形態２に係る自動販売機における仕切り板の構成部材を模式的に示す斜視図である。図６の（ａ）において、引き出し用配線束６１が仕切り板３を気密的に貫通し、その両端部に仕切り板側コネクタ６０が設置されている。また、パッキン３４は、仕切り板３の前端面３０の全長（Ａ−Ｃの範囲に同じ）にわたって両面接着テープ３５によって接着固定されている。したがって、パッキン３４の一部が仕切り板３から遊離して隙間が生じることがなく、商品室７間の空気の移動が抑制される構成になっている。
なお、引き出し用配線束６１は仕切り板３に設けられた配線用穴３６に挿入された後、引き出し用配線束６１と配線用穴３６との隙間に、例えばパテや発泡性断熱材が充填されている。また、配線束２２には配線束側コネクタ（図示しない）が設置され、該配線束側コネクタが仕切り板側コネクタ６０に接続されるものであるから、両者を引き離せば、配線束２２ないし仕切り板３を容易に移動することができる。
【００３６】
図６の（ｂ）において、仕切り板側コネクタ６０が仕切り板３に固定されている。すなわち、引き出し用配線束６１が仕切り板３の内部に完全に埋設されている。よって、仕切り板３の側面から突出する仕切り板側コネクタ６０の突出量が小さくなるから、配線束２２（配線束側コネクタに同じ）から離して、仕切り板３をハンドリングする際、作業が容易になる。
なお、両面に接続手段を具備するコネクタ（引き出し用配線束６１を不要にするもの）を、該接続手段が表面に表れるように仕切り板３に埋設してもよい。
【００３７】
［実施形態３］
図７は、本発明の実施形態３に係る自動販売機における仕切り板を説明する模式図であって、（ａ）は全体斜視図、（ｂ）および（ｃ）はこれを構成する部材の斜視図である。
図７の（ａ）において、仕切り板３に形成された切欠部３３に、断熱材によって形成された気密性を有する配線ブロック７０が気密的に設置されている。そして、仕切り板３の前端面３０には前面にわたってパッキン３４が配置され、前端面３０の配線ブロック７０を除く範囲（Ａ−Ｂの範囲に相当する）および配線ブロック７０の範囲（Ｂ−Ｃの範囲に相当する）が、両面接着テープ３５によって接着固定されている。したがって、パッキン３４が仕切り板３または配線ブロック７０から遊離して隙間が生じることが抑制される。
【００３８】
図７の（ｂ）において、引き出し用配線束６１が配線ブロック７０に設けられた配線用穴７６に挿入された後、引き出し用配線束６１と配線用穴７６との隙間に、例えばパテや発泡性断熱材が充填されて配線ブロック７０を気密的に貫通し、その両端部に仕切り板側コネクタ６０が設置されている。また、配線束２２には配線束側コネクタ（図示しない）が設置され、該配線束側コネクタが仕切り板側コネクタ６０に接続されるものであるから、両者を引き離せば、配線束２２ないし仕切り板３を容易に移動することができる。
【００３９】
図７の（ｃ）において、仕切り板側コネクタ６０が配線ブロック７０に固定されている。すなわち、引き出し用配線束６１が配線ブロック７０の内部に完全に埋設されている。よって、仕切り板３の側面から突出する仕切り板側コネクタ６０の突出量が小さくなるから、配線束２２（配線束側コネクタに同じ）から離して、仕切り板３をハンドリングする際、作業が容易になる。また、配線ブロック７０を単体で扱う際も、作業が容易になる。
さらに、両面に接続手段を具備するコネクタ（引き出し用配線束６１を不要にするもの）を、該接続手段が表面に表れるように配線ブロック７０に埋設したり、切欠部３３の大きさを該コネクタの大きさにして、配線ブロック７０を介さないで該コネクタのみを仕切り板３に直接埋設したりしてもよい。
【産業上の利用可能性】
【００４０】
本発明は、仕切り板によって仕切られた複数の商品室を有する自動販売機として広く利用することができる。
【図面の簡単な説明】
【００４１】
【図１】本発明の実施形態１に係る自動販売機における仕切り板を説明する模式図。
【図２】本発明の実施形態１に係る自動販売機における仕切り板を示す斜視図。
【図３】図２に示す仕切り板の部分断面図。
【図４】図２に示す仕切り板のバリエーションを示す斜視図。
【図５】図２に示す仕切り板のバリエーションを示す斜視図。
【図６】本発明の実施形態２に係る自動販売機における仕切り板を示す斜視図。
【図７】発明の実施形態３に係る自動販売機における仕切り板を説明する模式図。
【図８】従来の自動販売機の構成を説明する全体の正面視の断面図。
【図９】従来の自動販売機の構成を説明する全体の側面視の断面図。
【図１０】従来の自動販売機における仕切り板の斜視図および部分断面図。
【符号の説明】
【００４２】
１ 本体筐体
２ 商品収納庫
３ 仕切り板
４ 商品補充扉
５ 内扉
６ 前扉
７ 商品室
８ 商品収納ラック
９ 商品取り出し口
１０ 商品誘導板
１１ 庫内部品収納室
１２ 蒸発器
１３ ヒータ
１４ 庫内ファン
１５ シュラウド
１６ 庫内風洞
１７ 庫内温度センサー
１８ 背面ダクト
１９ コンデンシングユニット
２０ 機械室
２１ 電装品収納室
２２ 配線束
２３ 底板
２４ 天井
３０ 前端面
３１ 断熱材
３２ 破損防止用板金
３３ 切欠部
３４ パッキン
３５ 両面接着テープ
３６ 配線用穴
４０ スポンジ状部材
５０ 押え板
５１ ネジ固定用穴
５４ 補助パッキン
５５ 両面接着テープ
６０ 仕切り板側コネクタ
６１ 引き出し用配線束
７０ 配線ブロック
７６ 配線用穴
【図１】
2007047899.tif 000003
【図２】
2007047899.tif 000004
【図３】
2007047899.tif 000005
【図４】
2007047899.tif 000006
【図５】
2007047899.tif 000007
【図６】
2007047899.tif 000008
【図７】
2007047899.tif 000009
【図８】
2007047899.tif 000010
【図９】
2007047899.tif 000011
【図１０】
2007047899.tif 000012